(57)【要約】【課題】記録媒体を再生していない状態でも、ユーザにとって有意な映像を表示することが出来る映像再生システムを提供する。【解決手段】本発明に係る映像再生システムは、ディスクプレーヤ１と、ディスクプレーヤ１と通信網３を介して接続された少なくとも１つのコンテンツ提供サーバー４とから構成され、該コンテンツ提供サーバー４には、複数のコンテンツと、該複数のコンテンツの中から各コンテンツを特定するためのコンテンツリスト情報とが格納されており、ディスクプレーヤ１が電源オンの状態でディスクの再生に待機する待機モードに移行したとき、コンテンツ提供サーバー４からコンテンツリスト情報をダウンロードし、該コンテンツリスト情報に基づいて１つのコンテンツを特定し、特定されたコンテンツをコンテンツ提供サーバー４からダウンロードし、待機モードの期間に、該コンテンツを再生してディスプレイ２に表示する。【選択図】図１
2007184838.tif 000002
【特許請求の範囲】
【請求項１】
記録媒体に記録されている映像データを再生してディスプレイに表示することが可能な映像再生装置と、該映像再生装置と通信網を介して接続された少なくとも１つのコンテンツ提供サーバーとから構成され、該コンテンツ提供サーバーには、映像データからなる複数のコンテンツと、該複数のコンテンツの中から各コンテンツを特定するためのコンテンツリスト情報とが格納されており、映像再生装置が電源オンの状態で記録媒体の再生に待機する待機モードに移行したとき、前記コンテンツ提供サーバーからコンテンツリスト情報をダウンロードし、該コンテンツリスト情報に基づいて、該映像再生装置に関連付けられているコンテンツを特定し、特定されたコンテンツを前記コンテンツ提供サーバーからダウンロードし、待機モードの期間に、該コンテンツを再生してディスプレイに表示することを特徴とする映像再生システム。
【請求項２】
前記映像再生装置には、通信網を介して複数のコンテンツ提供サーバーが接続されており、その中の特定のコンテンツ提供サーバーには、他のコンテンツ提供サーバーに格納されている複数のコンテンツの中から各コンテンツを特定するためのコンテンツリスト情報が格納され、映像再生装置が待機モードに移行したとき、前記特定のコンテンツ提供サーバーからコンテンツリスト情報をダウンロードし、該コンテンツリスト情報に基づいて、他のコンテンツ提供サーバーに格納されているコンテンツを特定し、特定されたコンテンツを該他のコンテンツ提供サーバーからダウンロードし、待機モードの期間に、該コンテンツを再生してディスプレイに表示する請求項１に記載の映像再生システム。
【請求項３】
記録媒体に記録されている映像データを再生してディスプレイに表示することが可能であると共に、通信網を介して少なくとも１つのコンテンツ提供サーバーと接続が可能である映像再生装置であって、電源オンの状態で記録媒体の再生に待機する待機モードに移行したとき、前記コンテンツ提供サーバーから、該サーバーに格納されている複数のコンテンツの中から各コンテンツを特定するためのコンテンツリスト情報をダウンロードし、該コンテンツリスト情報に基づいて１つのコンテンツを特定し、特定されたコンテンツを前記コンテンツ提供サーバーからダウンロードし、待機モードの期間に、該コンテンツを再生してディスプレイに表示することを特徴とする映像再生装置。
【請求項４】
通信網を介して複数のコンテンツ提供サーバーが接続可能であって、待機モードに移行したとき、前記複数のコンテンツ提供サーバーの中の特定のコンテンツ提供サーバーからコンテンツリスト情報をダウンロードし、該コンテンツリスト情報に基づいて、他のコンテンツ提供サーバーに格納されているコンテンツを特定し、特定されたコンテンツを該他のコンテンツ提供サーバーからダウンロードし、待機モードの期間に、該コンテンツを再生してディスプレイに表示する請求項３に記載の映像再生装置。
【請求項５】
前記待機モードは、電源オンの状態で、記録媒体が装填されていないとき、記録媒体の再生状態から再生停止状態に移行したとき、記録媒体の再生が一時停止した状態で一定時間が経過したとき、又は、記録媒体の再生が一時停止した状態でコンテンツ提供サーバーへアクセスするユーザ操作が行なわれたときに設定される請求項３又は請求項４に記載の映像再生装置。
【請求項６】
前記コンテンツリスト情報には、装置本体が使用される地域を特定するための地域情報が含まれると共に、地域毎にダウンロードすべきコンテンツのファイル名が含まれている請求項３乃至請求項５の何れかに記載の映像再生装置。
【発明の詳細な説明】
【技術分野】
【０００１】
本発明は、光ディスク等の記録媒体に記録されているビデオデータを再生してディスプレイに表示することが可能な映像再生システム及び映像再生装置に関するものである。
【背景技術】
【０００２】
従来、光ディスクを再生する光学式ディスクプレーヤにおいては、光ディスクを再生していない状態ではメーカが予め用意した初期画面をディスプレイに表示するものが一般的である。又、スクリーンセーバー機能を有するディスクプレーヤにおいては、ディスクを再生していない状態でユーザ操作のないまま一定時間が経過すると、メーカ側で予め用意されている動画或いは静止画像がディスプレイに表示されることになる。
【０００３】
ところで、近年では、通信網(インターネット)に接続する機能を有するディスクプレーヤが開発されており、この種のディスクプレーヤにおいて、再生せんとする光ディスクに関連するコンテンツを、遠隔地のサーバーから通信網を経てダウンロードし、光ディスクの再生と同期させて、ダウンロードしたコンテンツをディスプレイに表示することが提案されている(特許文献１参照)。
【特許文献１】特開２００３−２１９３４４号公報［H04N5/85］
【発明の開示】
【発明が解決しようとする課題】
【０００４】
しかしながら、通信網に接続する機能を有するディスクプレーヤであっても、光ディスクを再生していない状態では、メーカ側で予め用意されている画像がディスプレイに表示されるに過ぎず、表示画像が意味のない退屈なものとなる問題があった。
そこで、本発明の目的は、光ディスク等の記録媒体を再生していない状態でも、ユーザにとって有意な映像を表示することが出来る映像再生システム及び映像再生装置を提供することである。
【課題を解決するための手段】
【０００５】
本発明に係る映像再生システムは、記録媒体に記録されている映像データを再生してディスプレイに表示することが可能な映像再生装置と、該映像再生装置と通信網を介して接続された少なくとも１つのコンテンツ提供サーバーとから構成される。
コンテンツ提供サーバーには、映像データからなる複数のコンテンツと、該複数のコンテンツの中から各コンテンツを特定するためのコンテンツリスト情報とが格納されている。ここで、コンテンツ提供サーバーは、ユーザにとって有意な最新のコンテンツを含む様、コンテンツ運用企業によって常に更新されている。
映像再生装置は、電源オンの状態で記録媒体の再生に待機する待機モードに移行したとき、前記コンテンツ提供サーバーからコンテンツリスト情報をダウンロードし、該コンテンツリスト情報に基づいて、該映像再生装置に関連付けられているコンテンツを特定し、特定されたコンテンツを前記コンテンツ提供サーバーからダウンロードし、待機モードの期間に、該コンテンツを再生してディスプレイに表示する。
【０００６】
前記待機モードは、電源オンの状態で、記録媒体が装填されていないとき、記録媒体の再生状態から再生停止状態に移行したとき、或いは記録媒体の再生が一時停止した状態で一定時間が経過したとき等、従来のスクリーンセーバーが機能するときと同じ条件が成立したときや、記録媒体の再生が一時停止した状態でコンテンツ提供サーバーへアクセスするユーザ操作が行なわれたとき、自動的に設定されるものである。
【０００７】
具体的構成において、前記映像再生装置には、通信網を介して複数のコンテンツ提供サーバーが接続されており、その中の特定のコンテンツ提供サーバーには、他のコンテンツ提供サーバーに格納されている複数のコンテンツの中から各コンテンツを特定するためのコンテンツリスト情報が格納され、映像再生装置が待機モードに移行したとき、前記特定のコンテンツ提供サーバーからコンテンツリスト情報をダウンロードし、該コンテンツリスト情報に基づいて、他のコンテンツ提供サーバーに格納されているコンテンツを特定し、特定されたコンテンツを該他のコンテンツ提供サーバーからダウンロードし、待機モードの期間に、該コンテンツを再生してディスプレイに表示する。
【０００８】
ここで、前記コンテンツリスト情報には、装置本体が使用される地域を特定するための地域情報が含まれると共に、地域毎にダウンロードすべきコンテンツのファイル名が含まれている。これによって、地域毎に特徴を有するコンテンツをディスプレイに表示することが出来る。
【発明の効果】
【０００９】
本発明に係る映像再生システム及び映像再生装置によれば、記録媒体を再生していない状態でも、コンテンツ提供サーバーからダウンロードした最新のコンテンツがディスプレイに表示されるので、表示映像がユーザにとって有意なものとなる。
【発明を実施するための最良の形態】
【００１０】
以下、本発明をディスクプレーヤ及びディスク再生システムに実施した形態につき、図面に沿って具体的に説明する。
図１に示す如く本発明に係るディスクプレーヤ(１)は、映像表示及び音声出力機能を有するディスプレイ(２)と接続された状態で、光ディスクを再生して映像をディスプレイ(２)の画面に表示するものであって、インターネットから構成される通信網(３)を介して、複数のコンテンツ提供サーバー(４)(５)(６)(７)に接続することが可能となっている。
【００１１】
ディスクプレーヤ(１)は、図２に示す如く、光ディスクを駆動するディスクドライブ(８)と、ディスクドライブ(８)を含む装置全体の動作を制御するコントローラ(９)と、必要な情報を記憶するためのメモリ(10)と、ディスクから再生されるビデオデータを復号して出力するビデオデコーダ(11)と、ディスクから再生されるオーディオデータを復号して出力するオーディオデコーダ(12)と、通信網を通じたコンテンツ提供サーバー(４)との通信を制御する通信網制御部(13)とを具えている。
【００１２】
図１に示す複数のコンテンツ提供サーバー(４)(５)(６)(７)の内、特定のコンテンツ提供サーバー(４)は、ディスクプレーヤ(１)のメーカ若しくはその関連企業が運用するものであって、該コンテンツ提供サーバー(４)には、図３に示す如く、ディスクプレーヤ(１)が使用される地域を表わす地域コードと、コンテンツ提供サーバー(４)からダウンロードすべきコンテンツファイルのファイル名とを含むコンテンツリスト情報が、地域毎に格納されている。
【００１３】
又、コンテンツ提供サーバー(４)には、図４に示す如く、それぞれが動画のコンテンツを構成する複数のコンテンツデータがファイル名と共に格納されている。これらのコンテンツデータは、運用企業によって常に最新のコンテンツを含む様、更新されている。
【００１４】
図６は、ディスクプレーヤ(１)がコンテンツ提供サーバー(４)にアクセスしてコンテンツを再生する一連の処理を表わしており、図７は、ディスクプレーヤ(１)に対して何らかのキー入力があった場合にそのキー入力に応じた処理を実行し、若しくは図６のコンテンツ再生処理に割り込んでコンテンツ再生処理を停止させるための一連の手続きを表わしている。
【００１５】
図６のコンテンツ再生処理は、ディスクプレーヤ(１)に電源が投入された状態で、ディスクが装填されていないとき、ディスクの再生状態から再生停止状態に移行したとき、或いはディスクの再生が一時停止した状態でユーザ操作のないまま一定時間が経過したとき等、従来のスクリーンセーバーが機能するときと同じ条件が成立したときや、ディスクの再生が一時停止した状態でコンテンツ提供サーバーへアクセスするユーザ操作が行なわれたとき、自動的に実行される。
【００１６】
先ず図６のステップＳ１にて、ディスクプレーヤ(１)のメーカが運用するコンテンツ提供サーバー(４)と接続するべく特定のＵＲＬへアクセスし、ステップＳ２では、コンテンツ提供サーバー(４)との接続の有無をチェックする。
ディスクプレーヤ(１)がコンテンツ提供サーバー(４)と接続されておらず、接続なしと判断された場合は、ステップＳ７へ移行し、ディスクプレーヤ(１)に予め登録されているデフォルトコンテンツの再生を繰り返す。
【００１７】
一方、コンテンツ提供サーバーからの応答があって、ステップＳ２にて接続ありと判断されたときは、ステップＳ３に移行して、コンテンツ提供サーバー(４)から図３に示すコンテンツリスト情報をダウンロードし、ステップＳ４では、ダウンロードしたコンテンツリスト情報の中から地域に対応する１つのコンテンツ情報を特定する。ここで、ディスクプレーヤ(１)が使用されている地域を表わす地域コードは予めディスクプレーヤ(１)に登録されており、図３に示すコンテンツリスト情報から該地域コードに対応するファイル名を検索する。
【００１８】
次に図６のステップＳ５では、前記検索されたファイル名に基づいて、コンテンツ提供サーバー(４)から該ファイル名を有するコンテンツデータをダウンロードする。そして、ステップＳ６にて、ダウンロードしたコンテンツの再生を繰り返す。
【００１９】
ディスクプレーヤ(１)に何らかのキー入力があった場合は、図７の処理が実行される。先ずステップＳ１１では、そのキーが電源キーであるかどうかを判断し、イエス(Ｙｅｓ)の場合はステップＳ２０に移行して、そのキーの仕様に応じた処理、この場合は電源投入処理を実行して、手続きを終了する。
【００２０】
ステップＳ１１にてノー(Ｎｏ)と判断されたときは、ステップＳ１２に移行して、コンテンツ提供サーバーからダウンロードしたコンテンツの再生中であるかどうかを判断する。コンテンツの再生中でなく、ノーと判断されたときは、ステップＳ２０に移行して、入力されたキーの仕様に基づいた処理、例えばディスクトレイのオープン指令処理等を実行して、手続きを終了する。
【００２１】
コンテンツ提供サーバーからダウンロードしたコンテンツの再生中であり、ステップＳ１２にてイエスと判断されたときは、ステップＳ１３に移行して、ディスクが挿入されているかどうかを判断し、ここでイエスと判断されたときは更にステップＳ１４にて、プレーヤが再生停止状態であるかどうかを判断する。
ここでプレーヤが再生停止状態でないと判断されたときは、ディスクの再生状態であるので、ステップＳ１５にて、コンテンツの再生を停止する処理を実行し、ステップＳ１６では、ディスクから再生される画像をディスプレイ(２)の画面に表示し、手続きを終了する。
【００２２】
一方、ディスクが挿入されておらず、ステップＳ１３にてノーと判断され、或いはディスク挿入状態でプレーヤが再生を停止しており、ステップＳ１４にてイエスと判断されたときは、ステップＳ１７に移行して、入力されたキーが字幕や言語の指定を行なう等の基本動作の設定を行なう設定メニューキーであるかどうかを判断する。ここでノーと判断されたときはステップＳ２０に移行して、入力されたキーの仕様に応じた処理を実行する。
【００２３】
入力されたキーが設定メニューキーであって、ステップＳ１７にてイエスと判断されたときは、ステップＳ１８にてコンテンツの再生を停止する処理を行なった後、ステップＳ１９にて設定メニュー画面を表示して、手続きを終了する。
【００２４】
図６及び図７に示す手続きによれば、ディスクプレーヤ(１)に電源が投入された状態で、ディスクが装填されるまでの期間、ディスク装填状態でディスクの再生状態から停止状態に移行したとき、或いはディスクの再生が一時停止した状態でユーザ操作のないまま一定時間が経過したとき、ディスプレイ(２)には、地域毎に特徴のあるコンテンツ、例えば映画が格納されているディスクをディスクプレーヤ(１)に装填している場合には最寄りの映画館で上映予定の映画の予告編等がディスプレイ(２)に表示される。
そして、ディスクプレーヤ(１)にディスクが装填されて再生が開始されたとき、設定メニューキーが操作されたとき、或いは再生一時停止状態で電源キー以外のキーが操作されたときには、コンテンツ提供サーバーからダウンロードしたコンテンツの再生が停止されることになる。
【００２５】
図１に示す如く、ディスクプレーヤ(１)のメーカが運用する自社コンテンツ提供サーバー(４)以外に、複数の他社コンテンツ提供サーバー(５)(６)(７)がディスクプレーヤ(１)に接続可能なディスク再生システムにおいては、自社コンテンツ提供サーバー(４)に、図５に示すコンテンツリスト情報を格納すると共に、他社コンテンツ提供サーバー(５)(６)(７)にはそれぞれ複数のコンテンツデータをファイル名と共に格納しておく構成を採ることが出来る。
【００２６】
図５に示すコンテンツリスト情報には、ディスクプレーヤ(１)が使用される地域を表わす地域コードと、コンテンツのジャンルと、コンテンツを提供する他社のＵＲＬと、各社のコンテンツ提供サーバーからダウンロードすべきコンテンツファイルのファイル名とが含まれている。
【００２７】
この場合、ディスクプレーヤ(１)は先ず自社コンテンツ提供サーバー(４)にアクセスして図５に示すコンテンツリスト情報をダウンロードする。そして、ディスクプレーヤ(１)が使用されている地域と、予めユーザが登録している好みのジャンルとに基づいて、１つの他社ＵＲＬと１つのコンテンツのファイル名とを取得する。
次に、前記取得した他社ＵＲＬに基づいて他社コンテンツ提供サーバーに接続し、該サーバーから前記取得したファイル名のコンテンツデータをダウンロードする。
【００２８】
そして、ダウンロードしたコンテンツデータを用いて、ディスプレイ(２)の画面にコンテンツを表示するのである。
これによって、ディスクの再生に待機している状態で、ディスプレイ(２)には、地域に対応すると共に好みに応じたコンテンツが表示されることとなる。従って、ユーザは自己にとって有益な情報を得ることが出来る。
【図面の簡単な説明】
【００２９】
【図１】本発明に係る映像再生システムの構成を示すブロック図である。
【図２】ディスクプレーヤの構成を示すブロック図である。
【図３】コンテンツリスト情報を示す図である。
【図４】コンテンツデータを含む複数のファイルを示す図である。
【図５】コンテンツリスト情報の他の例を示す図である。
【図６】コンテンツ提供サーバーへのアクセス処理を表わすフローチャートである。
【図７】キー入力に応じた動作を表わすフローチャートである。
【符号の説明】
【００３０】
(１) ディスクプレーヤ
(２) ディスプレイ
(３) 通信網
(４)  自社コンテンツ提供サーバー
(５)  他社コンテンツ提供サーバー
(６)  他社コンテンツ提供サーバー
(７)  他社コンテンツ提供サーバー
【図１】
2007184838.tif 000003
【図２】
2007184838.tif 000004
【図３】
2007184838.tif 000005
【図４】
2007184838.tif 000006
【図５】
2007184838.tif 000007
【図６】
2007184838.tif 000008
【図７】
2007184838.tif 000009